(57)【特許請求の範囲】
【請求項１】
温度によって電気特性が変化する感温素子（２）と、
該感温素子（２）から後端側に伸びる一対の信号線（２１）を内部に挿通させ、該一対の信号線（２１）と絶縁された絶縁管（３）と、
該絶縁管（３）及び上記感温素子（２）を覆う外管（４）と、
上記絶縁管（３）の先端部（３１）の外周に設けられ、該絶縁管（３）の先端部（３１）を上記外管（４）に保持するための先端側保持材（５Ａ）と、
上記絶縁管（３）の後端部（３２）の外周に設けられ、該絶縁管（３）の後端部（３２）を上記外管（４）に保持するための後端側保持材（５Ｂ）と、
上記先端側保持材（５Ａ）は、金属繊維を除く無機繊維から構成されていることを特徴とする温度センサ（１）。
【請求項２】
上記後端側保持材（５Ｂ）は、金属繊維を除く無機繊維から構成されていることを特徴とする請求項１に記載の温度センサ（１）。
【請求項３】
上記無機繊維は、マット状又はシート状に成形されたセラミックス繊維の成形体であることを特徴とする請求項１又は２に記載の温度センサ（１）。
【請求項４】
上記絶縁管（３）は、上記一対の信号線（２１）を挿通させる一対の挿通穴（３３）を有するセラミックスの焼結体によって形成されていることを特徴とする請求項１〜３のいずれか一項に記載の温度センサ（１）。
【請求項５】
上記絶縁管（３）は、金属製の中空管（３５）と、上記一対の信号線（２１）が挿通された上記中空管（３５）内に充填された絶縁性の充填粉末（３６）とによって形成されていることを特徴とする請求項１〜３のいずれか一項に記載の温度センサ（１）。
【請求項６】
上記感温素子（２）は、上記外管（４）における先端部（４１１）であって、上記絶縁管（３）の先端面（３１１）よりも先端側に形成された空間（Ｓ）内に配置されており、
該空間（Ｓ）内の先端側部分には、該空間（Ｓ）の一部を後端側部分に残す状態で、上記感温素子（２）を上記先端部（４１１）に固定するための充填材（６１）が配置されていることを特徴とする請求項１〜５のいずれか一項に記載の温度センサ（１）。
【請求項７】
上記感温素子（２）に繋がる上記一対の信号線（２１）の先端側部分（２１３）の間隔は、上記絶縁管（３）内に配置された上記一対の信号線（２１）の後端側部分（２１４）の間隔よりも狭くなっており、
上記充填材（６１）は、上記感温素子（２）の全体及び上記一対の信号線（２１）の先端側部分（２１３）の全体を覆っていることを特徴とする請求項６に記載の温度センサ（１）。
【発明の詳細な説明】
【技術分野】
【０００１】
本発明は、感温素子によって被測定部位の温度を測定する温度センサに関する。
【背景技術】
【０００２】
車両の排気管を流れる排気ガス等の温度を測定する温度センサにおいては、温度によって電気特性が変化する感温素子を用いている。温度センサにおいては、感温素子から後端側に伸びる一対の信号線を絶縁しつつ保持する絶縁管（碍子管又はシースピン）と、絶縁管の外周を覆う外管とが設けられている。そして、絶縁管は、先端部の外周が直接又はフィラー等を介して外管に保持され、後端部の外周が弾性体、金属メッシュ、ゴム製のブッシュ等を介して外管に保持されている。
【０００３】
例えば、特許文献１の温度センサにおいては、感温素子の一対の信号線が挿通された絶縁管が、保持部材によって筒状部材に取り付けられた構造が開示されている。保持部材は、バネ等の弾性体、又は金属製の細線を絡み合わせた金属メッシュによって構成されている。
【先行技術文献】
【特許文献】
【０００４】
【特許文献１】特開２０１２−９３３４０号公報
【発明の概要】
【発明が解決しようとする課題】
【０００５】
排ガス規制や高燃費への需要から温度センサによるターボ過給機の制御の改良が求められている。そのため、温度センサには、ターボ過給機を制御するための高応答性と、ターボ過給機を使用する高温、高振動の環境にも耐えられる高温耐振性とが要求される。
しかしながら、特許文献１等の背景技術において、絶縁管を筒状部材（外管）に保持する保持部材を、バネ等の弾性体、金属メッシュ等によって構成する場合には、次の問題がある。すなわち、温度センサによって温度を測定する環境が高温であるときには、熱によって保持部材が熱劣化し、絶縁管を筒状部材に安定して保持することが困難になる。さらに、温度センサに車両の走行による振動が伝わるときには、繰り返し発生する応力の影響を受けて保持部材がさらに熱劣化しやすくなる。なお、ここで言う熱劣化とは、熱へたり（hot relaxation）のことであり、弾性限度内の低い応力下において塑性ひずみが発生し、保持材が保持力を失うことを言う。この熱へたりが生じた場合には、温度センサに車両の走行による振動が伝わるときに、絶縁管が振動を受けて、割れる又は曲がるおそれがある。
また、感温素子を筒状部材に固定するフィラーによって、絶縁管も筒状部材に固定する方法が知られている。しかし、フィラーによって絶縁管を筒状部材に固定した場合には、フィラーを介した素子から絶縁管への熱引きが大きいため、温度センサの応答性が低下してしまう。
【０００６】
本発明は、かかる背景に鑑みてなされたもので、熱に対する耐久性を向上させることができ、絶縁管を外管に長期に亘って安定して保持することができる温度センサを提供しようとして得られたものである。
【課題を解決するための手段】
【０００７】
本発明の一態様は、温度によって電気特性が変化する感温素子と、
該感温素子から後端側に伸びる一対の信号線を内部に挿通させ、該一対の信号線と絶縁された絶縁管と、
該絶縁管及び上記感温素子を覆う外管と、
上記絶縁管の先端部の外周に設けられ、該絶縁管の先端部を上記外管に保持するための先端側保持材と、
上記絶縁管の後端部の外周に設けられ、該絶縁管の後端部を上記外管に保持するための後端側保持材と、
上記先端側保持材は、金属繊維を除く無機繊維から構成されていることを特徴とする温度センサにある。
【発明の効果】
【０００８】
上記温度センサにおいては、絶縁管の先端部を外管に保持するための先端側保持材を、金属繊維を除く無機繊維から構成している。
この無機繊維は、温度センサによって測定する環境が高温であっても、熱劣化しにくく、絶縁管を外管に保持する性能がほとんど低下しない。特に、絶縁管の先端部の外周に設けられる先端側保持材は高温に加熱されやすい。そのため、先端側保持材を無機繊維から構成することにより、絶縁管を外管に長期に亘って安定して保持することができる。
【０００９】
また、絶縁管を先端側保持材と後端側保持材とによって外管に保持することにより、振動等による絶縁管の割れや曲がりの発生を防止することができる。
それ故、上記温度センサによれば、熱に対する耐久性を向上させることができ、絶縁管を外管に長期に亘って安定して保持することができる。
【００１０】
また、無機繊維の各保持材によって絶縁管を外管に保持することができるため、フィラーによって絶縁管を外管に固定する必要がない。つまり、フィラーの使用量は、感温素子を外管に固定するための少量とすることができ、フィラーと絶縁管との間に空洞を設けることができる。これにより、フィラーを介する感温素子から絶縁管への熱引きを抑制することができ、温度センサの応答性及び高温耐振性を向上させることができる。
【図面の簡単な説明】
【００１１】
【図１】実施例にかかる、温度センサを示す断面説明図。
【図２】実施例にかかる、温度センサの先端側部分を示す断面説明図。
【図３】実施例にかかる、温度センサの後端側部分を示す断面説明図。
【図４】実施例にかかる、排気管に取り付けられた温度センサを示す断面説明図。
【図５】実施例にかかる、各保持材が組み付けられた絶縁管を外管内に挿入する状態の温度センサを示す断面説明図。
【図６】実施例にかかる、他の温度センサを示す断面説明図。
【図７】実施例にかかる、他の温度センサを示す断面説明図。
【図８】実施例にかかる、他の温度センサを示す断面説明図。
【図９】実施例にかかる、他の温度センサを示す断面説明図。
【図１０】実施例にかかる、他の温度センサの先端側部分を示す断面説明図。
【図１１】実施例にかかる、他の温度センサの先端側部分を示す断面説明図。
【図１２】実施例にかかる、他の温度センサの先端側部分を示す断面説明図。
【発明を実施するための形態】
【００１２】
上述した温度センサにおける好ましい実施の形態について説明する。
（実施例）
本例の温度センサ１は、図１に示すように、感温素子２、絶縁管３、外管４、先端側保持材５Ａ及び後端側保持材５Ｂを備えている。感温素子２は、温度によって電気特性（電気抵抗）が変化するものである。絶縁管３は、感温素子２から後端側に伸びる一対の信号線２１を内部に挿通させており、一対の信号線２１と絶縁されている。また、絶縁管３は、一対の信号線２１と外管４との絶縁を行うものである。外管４は、金属製であり、絶縁管３及び感温素子２を覆う形状に形成されている。先端側保持材５Ａは、絶縁管３の先端部３１の外周に設けられており、絶縁管３の先端部３１を外管４に保持している。後端側保持材５Ｂは、絶縁管３の後端部３２の外周に設けられており、絶縁管３の後端部３２を外管４に保持している。先端側保持材５Ａ及び後端側保持材５Ｂは、金属繊維を除く無機繊維から構成されている。
【００１３】
以下に、本例の温度センサ１について、図１〜図１２を参照して詳説する。
図４に示すように、本例の温度センサ１は、車両の排気管７に配置されて、排気管７を流れる排気ガスＧの温度を測定するものである。
排気管７には、温度センサ１を挿入するための挿入穴７１が形成されている。挿入穴７１の手前側には、めねじ部７１１が形成されており、挿入穴７１の奥側には、めねじ部７１１よりも縮径した掛止部７１２が形成されている。排気管７に温度センサ１を挿入する際には、挿入穴７１の掛止部７１２に、外管４に設けられたリブ４３を掛止させ、めねじ部７１１に、外管４の外周に装着するニップル４４を締め付ける。そして、リブ４３を掛止部７１２に密着させて、温度センサ１と挿入穴７１２との隙間を閉塞している。
【００１４】
感温素子２は、サーミスタによって構成されている。なお、感温素子２は、サーミスタ以外にも、熱電対、白金（Ｐｔ）等からなる測温抵抗体によって構成することもできる。図２に示すように、感温素子２は、酸素還元劣化を抑制するためのガラス層２２によって覆われている。感温素子２は、外管４における先端部４１１であって、絶縁管３の先端面３１１よりも先端側に形成された空間Ｓ内に配置されている。空間Ｓ内の先端側部分には、空間Ｓの一部を後端側部分に残す状態で、感温素子２を先端部４１１に固定するための充填材６１が配置されている。充填材６１は、セラミックス粉末等の骨材粒子、ガラス成分等を含んでいる。
【００１５】
図２に示すように、一対の信号線２１は、絶縁管３の先端面３１１から先端側に向けて突出して感温素子２に繋がる先端側部分２１３と、絶縁管３内に配置された後端側部分２１４とを有している。一対の信号線２１の先端側部分２１３の間隔は、後端側部分２１４から屈曲されることにより、一対の信号線２１の後端側部分２１４の間隔よりも狭くなっている。一対の信号線２１の先端側部分２１３及び一対の信号線２１の後端側部分２１４は、それぞれ互いに平行な状態で形成されている。一対の信号線２１の先端側部分２１３と後端側部分２１４との間には、両者を繋ぐテーパ状部分２１５が形成されている。
【００１６】
充填材６１は、感温素子２の全体及び一対の信号線２１の先端側部分２１３の全体を覆っている。そして、外管４における先端部４１１の内側先端面から絶縁管３の先端面３１１までの長さをＬとしたとき、充填材６１を充填する長さＬ１の範囲は、外管４における先端部４１１の内側先端面から後端側へ０．６Ｌ以上範囲とすることができる。ただし、感温素子２から絶縁管３等の後端側への熱引けを小さくするために、充填材６１の後端位置と絶縁管３の先端面３１１との間に空間Ｓの一部が残されるようにする。なお、感温素子２から絶縁管３等の後端側への熱引けが生じると、温度センサ１の応答性が低下することになる。
【００１７】
充填材６１によって感温素子２の全体を覆うことにより、感温素子２を振動等から保護することができる。また、充填材６１によって一対の信号線２１の先端側部分２１３の全体を覆うことにより、充填材６１が一対の信号線２１の先端側部分２１３同士の間に配置され、一対の信号線２１の先端側部分２１３同士の接触を確実に防止することができる。
また、本例の温度センサ１においては、各保持材５Ａ，５Ｂによって絶縁管３及び一対の信号線２１を外管４に保持することにより、充填材６１の使用量を減らすことができる。
【００１８】
図２、図３に示すように、絶縁管３は、一対の信号線２１を挿通させる一対の挿通穴３３を有する円柱形状のセラミックスの焼結体によって形成されている。絶縁管３は、例えばＡｌ2Ｏ3（アルミナ）、ＺｒＯ2（ジルコニア）、ＭｇＯ（マグネシア）等の耐熱性の高いセラミックスからなる。これらのセラミックスの中では、強度が高いことや、加工性が良好なことから、Ａｌ2Ｏ3が好ましい。また、各信号線２１は、感温素子２に接続されているとともに、各挿通穴３３に挿通されている。各信号線２１は、例えばＩＮＣＯＮＥＬ６０１や、ＩＮＣＯＮＥＬ６００、Ｐｔ、Ｆｅ−Ｃｒ−Ａｌ合金、Ｐｔ−Ｉｒ合金等の耐熱材料からなる。
【００１９】
また、各挿通穴３３の両端開口部の隙間には、接着剤（アロンセラミックス等のセラミック接着剤等）３４が設けられている。そして、各信号線２１は、接着剤３４によって絶縁管３に固定されている。
外管４は、絶縁管３の先端側部分及び感温素子２を覆う先端側管部４１と、先端側管部４１の後端側に繋がり、絶縁管３の後端側部分を覆う後端側管部４２とを有している。先端側管部４１の先端部４１１は、絶縁管３の先端面３１１よりも先端側の位置において、感温素子２の大きさに合わせて縮径している。
【００２０】
図１に示すように、先端側保持材５Ａは、絶縁管３の先端部３１の外周と先端側管部４１の内周との間に挟まれており、絶縁管３の先端部３１を先端側管部４１に保持している。後端側保持材５Ｂは、絶縁管３の後端部３２の外周と後端側管部４２の内周との間に挟まれており、絶縁管３の後端部３２を後端側管部４２に保持している。
【００２１】
図３に示すように、後端側管部４２内には、絶縁管３の後端部３２の外周に設けられた後端側保持材５Ｂと、絶縁管３の後端面から後端側に向けて突出する一対の信号線２１の部分と接続される一対のリード線６２と、一対のリード線６２を後端側管部４２に保持するためのゴム製のブッシュ６３とが配置されている。
絶縁管３の先端部３１は、先端側保持材５Ａの外周側に位置する先端側管部４１の部分４１２の外周を縮径させることにより、先端側保持材５Ａを介して先端側管部４１にかしめられている。絶縁管３の後端部３２は、後端側保持材５Ｂの外周側に位置する後端側管部４２の部分４２１の外周を縮径させることにより、後端側保持材５Ｂを介して後端側管部４２にかしめられている。一対のリード線６２は、ブッシュ６３の外周側に位置する後端側管部４２の部分４２２の外周を縮径させることにより、ブッシュ６３を介して後端側管部４２にかしめられている。
【００２２】
絶縁管３が、各保持材５Ａ，５Ｂを介して外管４にかしめられていることにより、各保持材５Ａ，５Ｂによって絶縁管３に働く最大静止摩擦力が、振動によって絶縁管３に働く荷重よりも大きくなる。なお、最大静止摩擦力は、各保持材５Ａ，５Ｂに働く反発力（面圧）と、絶縁管３と保持材５Ａ，５Ｂとの間、及び保持材５Ａ，５Ｂと外管４との間の各静止摩擦係数とに基づいて求められる。これにより、絶縁管３を外管４内に安定して保持することができる。
【００２３】
各保持材５Ａ，５Ｂを構成する無機繊維は、円筒状、マット状又はシート状に成形されたセラミックス繊維の成形体である。セラミックス繊維の成形体は耐熱性に優れている。セラミックス繊維は、アルミナ繊維、シリカ繊維等によって構成されている。セラミックス繊維の成形体は、無機繊維と、バインダー等の任意の他の成分とを混合して所定の形状に成形することができる。また、セラミックス繊維の成形体は、無機繊維を集綿して成形することもできる。
各保持材５Ａ，５Ｂを構成する無機繊維は、セラミックス繊維とする以外にも、例えば、ガラス繊維やロックウールとすることができる。
【００２４】
セラミックス繊維の成形体によって構成されたマット状又はシート状の各保持材５Ａ，５Ｂは、絶縁管３に巻き付けることができる。また、円筒状の各保持材５Ａ、５Ｂを用いる場合には、この各保持材５Ａ、５Ｂに絶縁管３を圧入することができる。そして、温度センサ１を組み付ける際には、図５に示すように、各保持材５Ａ，５Ｂが組み付けられた絶縁管３を外管４内に挿入することができる。
また、同図に示すように、絶縁管３を外管４内に挿入する際には、各保持材５Ａ，５Ｂが外管４の内周を摺動することにより、絶縁管３と外管４との同軸度を向上させることができる。これにより、温度センサ１の組付性を向上させることができる。
また、絶縁管３と外管４との同軸度を容易に確保できることにより、絶縁管３を外管４内に挿入する際に、感温素子２が、縮径された、先端側管部４１の先端部４１１に干渉しないようにすることができ、組付時における感温素子２の割れを防ぐことができる。
【００２５】
また、各保持材５Ａ，５Ｂは、接着剤（例えば、セラミック接着剤、又は有機バインダーを含んだ不織布等）を介して絶縁管３に組み付けることができる。この場合には、接着剤によって、各保持材５Ａ，５Ｂが、絶縁管３の軸方向に位置ずれしにくくすることができる。また、接着剤は、組付後の温度センサ１における充填材６１を焼結する際の熱によって、揮発させることができる。
【００２６】
また、各保持材５Ａ，５Ｂを構成するセラミックス繊維には、バーミキュライト等の膨張材を含有させることができる。膨張材は、セラミックス繊維同士の隙間に入り込んで含有される。この場合には、組付後の温度センサ１における充填材６１を焼結する際の熱によって膨張材が膨張する。そして、膨張材によって各保持材５Ａ，５Ｂを構成するセラミックス繊維の成形体が膨張し、各保持材５Ａ，５Ｂから絶縁管３と外管４とに圧力を生じさせることができる。これにより、図６に示すように、外管４の外周を縮径させて各保持材５Ａ，５Ｂを押圧する（かしめる）ことなく、絶縁管３を、各保持材５Ａ，５Ｂを介して外管４に固定することができる。
【００２７】
本例の温度センサ１においては、先端側保持材５Ａ及び後端側保持材５Ｂを、セラミックス繊維の成形体から構成している。
セラミックス繊維は、温度センサ１によって測定する環境が高温であっても、熱劣化しにくく、絶縁管３を外管４に保持する性能がほとんど低下しない。そのため、各保持材５Ａ，５Ｂをセラミックス繊維から構成することにより、絶縁管３を外管４に長期に亘って安定して保持することができる。
【００２８】
車両の排気管においては、エンジンの燃焼サイクルに応じて加熱と冷却が繰り返され、温度センサ１における外管４は、熱の影響を受けて膨張・収縮を繰り返す。金属製の外管４が膨張・収縮する度合いは、絶縁管３及び各保持材５Ａ，５Ｂが膨張・収縮する度合いに比べて大きい。そして、外管４が膨張するときには、各保持材５Ａ，５Ｂと外管４との間に隙間ができやすい状況が発生する。
【００２９】
この状況においても、各保持材５Ａ，５Ｂを構成するセラミックス繊維の成形体を、絶縁管３と外管４との間に充填する密度を高くしておくことにより、外管４の膨張に伴って各保持材５Ａ，５Ｂに復元力を働かせることができる。ここでいう密度とは、充填密度、つまり温度センサ１の組付け後の保持材５Ａ，５Ｂの密度のことをいう。これにより、各保持材５Ａ，５Ｂによって絶縁管３を保持する状態を、外管４の膨張に追従させることができる。つまり、高温時においても、各保持材５Ａ，５Ｂと外管４との間に隙間ができないようにすることができる。これにより、温度変動の大きな環境下においても、絶縁管３を長期に亘って安定して外管４に保持することができる。
【００３０】
また、サーミスタによって構成された感温素子２には、感温素子２の高温における還元劣化を防止するために、温度センサ１の後端側から感温素子２に向けて酸素を供給する必要がある。この際、各保持材５Ａ，５Ｂがセラミックス繊維の成形体によって構成されていることにより、酸素を、各保持材５Ａ，５Ｂを通過させて、感温素子２に供給しやすくすることができる。
【００３１】
また、絶縁管３を先端側保持材５Ａと後端側保持材５Ｂとによって外管４に保持することにより、絶縁管３が振動等によって割れることを防止することができる。また、図７に示すように、各保持材５Ａ、５Ｂの軸方向長さを長くし、絶縁管３に組み付ける各保持材５Ａ，５Ｂの面積を増やすことによって絶縁管３に働く振動ストレスを小さくすることができる。
それ故、本例の温度センサ１によれば、熱に対する耐久性を向上させることができ、絶縁管３を長期に亘って安定して外管４に保持することができる。
また、各保持材５Ａ，５Ｂによって絶縁管３を外管４に保持する工夫により、温度センサ１の組付時における絶縁管３の割れを防止し、また、充填材６１の使用量を減らして温度センサ１の応答性の低下を防止することができる。
【００３２】
また、保持材５Ａ，５Ｂの厚みｔ１と、絶縁管３と外管４（先端側管部４１、後端側管部４２）とのクリアランスｔ２との関係は、ｔ１＞ｔ２とすることが好ましい。これにより、絶縁管３と外管４の同軸度を向上させることができ、絶縁管３を安定して外管４に保持することができる。ただし、保持材５Ａ，５Ｂの厚みｔ１が大き過ぎると、温度センサ１の組付けに支障を来たし、また、保持材５Ａ，５Ｂに働く保持力（面圧）が高くなり過ぎて、保持材５Ａ，５Ｂに高温へたりを生じるおそれがある。そのため、厚みｔ１とクリアランスｔ２との関係は、２×ｔ２＞ｔ１＞ｔ２とすることがより好ましい。
【００３３】
なお、保持材５Ａ，５Ｂの厚みｔ１がクリアランスｔ２よりも小さいと、絶縁管３を十分に保持することができず、絶縁管３に振動ストレスが加わったときに、絶縁管３が割れるおそれがある。
例えば、絶縁管３と外観４とのクリアランスが約１ｍｍのときには、厚みが約１．５ｍｍのシート状の保持材５Ａ，５Ｂを用いることができる。そして、この保持材５Ａ，５Ｂが巻き付けられた絶縁管３を外管４に圧入することにより、絶縁管３と外管４との同軸度が向上し、温度センサ１の組付性を向上させることができる。
【００３４】
また、図８に示すように、絶縁管３は、その長手方向の３箇所に設けられた保持材５Ａ，５Ｂ，５Ｃによって外管４に保持することができる。この場合、中間位置に設けられた保持材５Ｃについても、先端側管部４１の部分４１３の外周を縮径させて圧縮することができる。絶縁管３を保持材５Ａ，５Ｂ，５Ｃによって保持する箇所を増やすことにより、振動によって絶縁管３に生じる変位を小さくすることができ、絶縁管３に働く振動ストレスを小さくすることができる。
【００３５】
また、図９に示すように、先端側保持材５Ａと基端側保持材５Ｂとは、これらを一体化した保持材５によって構成することもできる。この場合には、保持材５によって絶縁管３の全長を外管４に保持することができる。また、この場合、絶縁管３の全体を保持材５によって支えることができるため、絶縁管３を長期に亘って安定して外管４に保持することができる。
【００３６】
本例の図１〜図９においては、感温素子２の信号線２１が、感温素子２から引き出されたリード線によって構成された場合について示した。
これ以外にも、信号線２１は、図１０に示すように、感温素子３から引き出されたリード部２１１と、絶縁管３の挿通穴３３内から突出するリード線部材２１２とを突き合わせてレーザー溶接する構成とすることもできる。また、信号線２１は、図１１に示すように、感温素子３から引き出されたリード部２１１と、絶縁管３の挿通穴３３内から突出するリード線部材２１２とを重ね合わせてレーザー溶接する構成とすることもできる。この場合には、リード部２１１における、リード線部材２１２と重ね合わされていない部分の全体が充填材６１によって覆われるようにする。
【００３７】
また、図１２に示すように、絶縁管３は、シースピンとすることもできる。この場合、シースピンは、金属製の中空管３５と、一対の信号線２１（リード線部材２１２）が挿通された中空管３５内に充填された絶縁性の充填粉末３６とによって形成される。この場合には、絶縁性の充填粉末３６によって、一対の信号線２１（リード線部材２１２）と外管４との絶縁を行うことができる。この場合にも、絶縁管３をセラミックスの焼結体によって形成した場合と同様の作用効果を得ることができる。
【００３８】
また、この場合において、一対の信号線２１を構成するリード部２１１は、例えば、Ｐｔ、Ｐｔ−Ｉｒ合金、Ｐｔ−Ｒｈ合金等によって構成することができ、一対の信号線２１を構成するリード線部材２１２は、例えば、ＩＮＣＯＮＥＬ６０１、ＩＮＣＯＮＥＬ６００、Ｆｅ−Ｃｒ−Ａｌ合金等によって構成することができる。また、充填粉末３６は、例えば、ＭｇＯ（マグネシア粉末）やＳｉＯ2（シリカ粉末）によって構成することができる。また、図１２の場合においても、感温素子３から引き出されたリード部２１１と、一対のリード線部材２１２とを重ね合わせて、レーザー溶接することができる。この場合には、リード部２１１とリード線部材２１２との溶接部の全体が充填材６１によって覆われるようにする。
【符号の説明】
【００３９】
１  温度センサ
２  感温素子
２１  信号線
３  絶縁管
３１  先端部
３２  後端部
４  外管
５Ａ  先端側保持材
５Ｂ  後端側保持材
【図１】
0006350400.tif 000002
【図２】
0006350400.tif 000003
【図３】
0006350400.tif 000004
【図４】
0006350400.tif 000005
【図５】
0006350400.tif 000006
【図６】
0006350400.tif 000007
【図７】
0006350400.tif 000008
【図８】
0006350400.tif 000009
【図９】
0006350400.tif 000010
【図１０】
0006350400.tif 000011
【図１１】
0006350400.tif 000012
【図１２】
0006350400.tif 000013